(57)【特許請求の範囲】
【請求項１】
下側に配置される室外機の天板（２）に連結部材（６）を取り付け、上下に積層した室外機を上記連結部材（６）で連結可能に構成した空気調和機の室外機において、電装品収納部（１２）近傍のケーシング（１）内に、天板（２）から下方へ向かって延びる筒状部（９）を形成する棒材（１１）を設け、天板（２）のうち上記筒状部（９）の上方に位置する部分を、上記連結部材（６）を取り付けるための取付穴位置としていることを特徴とする空気調和機の室外機。
【請求項２】
上記天板（２）における連結部材（６）を取り付けるための取付穴位置には、マーキング（１０）のみしていることを特徴とする請求項１の空気調和機の室外機。
【請求項３】
上記棒材（１１）は、天板（２）から底板（５）まで延設され、上下方向の補強材として機能するものであることを特徴とする請求項１又は請求項２の空気調和機の室外機。
【請求項４】
上記棒材（１１）は、ケーシング（１）内に着脱自在に設けられていることを特徴とする請求項１〜請求項３のいずれかの空気調和機の室外機。
【発明の詳細な説明】
【０００１】
【発明の属する技術分野】
この発明は、上下に積層できる空気調和機の室外機に関するものである。
【０００２】
【従来の技術】
室外機を設置する際における省スペースのために、例えば特開平８−１７８３７０号公報記載のもののように、室外機を上下に積層して設置することが行われている。図５は、上記のような従来の空気調和機の室外機を示す斜視図であり、室外機を上下に積層する場合において下側に配置される室外機の上部を示している。この室外機のケーシング３１は、天板３２、前板３３、側板３４等を備えて構成されているが、このうち天板３２上面の前面側には、その前端に沿って複数のネジ穴３８・・が穿設されている。そしてこのネジ穴３８を用いて、横断面Ｌ字状の連結金具３６をネジ３７・・で天板３２に固定する。また連結金具３６には、その両端部に据付穴３５、３５が穿設され、この据付穴３５にネジを挿通して上側に載置する室外機の据付脚を固定するようになっている。
【０００３】
【発明が解決しようとする課題】
上記従来の空気調和機の室外機では、上下に積層して使用する場合に下側に配置されることとなる室外機の天板３２には、あらかじめネジ穴３８・・が穿設されている。もし仮にこのような室外機を単独で、あるいは積層して使用する場合の上側に載置する室外機として使用したとすると、上記ネジ穴３８から雨水が浸入することが予想される。そしてこの雨水が天板３２に近接してケーシング３１内に配置される電装品に与える影響を考えると、天板３２にあらかじめネジ穴３８・・が穿設された室外機は、積層して使用する場合の下側専用機として用いる必要があるということになる。従って従来は、単独または上側用として使用する室外機と、下側用として使用する室外機との２種類の室外機構成部品を準備しておく必要があった。そしてこれによる部品点数の増加がコストアップの一因になるという問題があった。また天板３２上にネジ穴３８が穿設されているか否かというわずかな相違だけで別機種が存在することとなるため、出荷時に取り違えてこれが手配ミスを生じる一因になり得るという問題もあった。
【０００４】
この発明は上記従来の欠点を解決するためになされたものであって、その目的は、上下に積層する場合の上側用としても下側用としても使用可能な空気調和機の室外機を提供することにある。
【０００５】
【課題を解決するための手段】
そこで請求項１の空気調和機の室外機は、下側に配置される室外機の天板２に連結部材６を取り付け、上下に積層した室外機を上記連結部材６で連結可能に構成した空気調和機の室外機において、電装品収納部１２近傍のケーシング１内に、天板２から下方へ向かって延びる筒状部９を形成する棒材１１を設け、天板２のうち上記筒状部９の上方に位置する部分を、上記連結部材６を取り付けるための取付穴位置としていることを特徴としている。
【０００６】
上記請求項１の空気調和機の室外機では、取付穴からケーシング１内に浸入する雨水や据付作業時に取付穴で発生する切削粉等は、電装品収納部１２近傍においては筒状部９内を通じてケーシング１の下方に導かれる。従ってこれらの雨水や切削粉等が電装品の正常な動作を阻害するのを回避することが可能となる。
【０００７】
また請求項２の空気調和機の室外機は、上記天板２における連結部材６を取り付けるための取付穴位置には、マーキング１０のみしていることを特徴としている。
【０００８】
上記請求項２の空気調和機の室外機では、これを上下に積層したときの上側用として使用する場合における外観性を向上させることが可能となる。
【０００９】
さらに請求項３の空気調和機の室外機は、上記棒材１１は、天板２から底板５まで延設され、上下方向の補強材として機能するものであることを特徴としている。
【００１０】
上記請求項３の空気調和機の室外機では、筒状部９を形成する棒材１１を、下側用の室外機に必要とされる補強材としても機能させているので、その構成を簡素なものとすることが可能となる。
【００１１】
請求項４の空気調和機の室外機は、上記棒材１１は、ケーシング１内に着脱自在に設けられていることを特徴としている。
【００１２】
上記請求項４の空気調和機の室外機では、上記棒材１１を下側用の室外機のみに取り付けるようにすることで、部品点数を削減してコストダウンを図ることが可能となる。
【００１３】
【発明の実施の形態】
次に、この発明の空気調和機の室外機の具体的な実施形態について、図面を参照しつつ詳細に説明する。
【００１４】
図２は、上記室外機の斜視図であるが、図を簡単にしてその内部構成の理解を容易とするために、ケーシング１を構成する天板２、前板３及び側板４（図３参照）、並びに送風ファン等を省略して示している。底板５上には、横置形の圧縮機１４と熱交換器１３とが設けられ、これら圧縮機１４と熱交換器１３とに挟まれて立設されたモータ台１７には、室外ファン（図示せず）を回転駆動するためのファンモータ１５が設けられている。またこの室外機の上部右側には、コンデンサ、パワートランジスタ等の電装品を収納する電装品箱（電装品収納部）１２が配置され、さらにこの電装品箱１２の右側近傍には、横断面コ字状に成された上下方向の補強材（棒材）１１が、その開口側を側方に向けて底板５に立設されている。この補強材１１はネジ止めによって底板５に固定され、ケーシング１内には着脱自在となるよう構成されている。
【００１５】
図１は、天板２、前板３及び側板４を取り付けた状態における上記補強材１１上端部近傍を示す透過斜視図である。同図に示すように、側板４を取り付けた状態では上記補強材１１の側方開口端１１ａが側板４の内側面に当接し、また天板２を取り付けた状態では上記補強材１１の上端１１ｂが天板２の裏面側に当接している。従って上記補強材１１と側板４とによって囲まれた筒状部９が、天板２から下方に向かって延びるように形成されることとなる。また天板２上には複数のダボ孔１０・・が凹陥形成され、このダボ孔１０によってネジ穴（取付穴）（図３参照）を穿設する位置がマーキングされているが、そのうちの最も右端側、すなわち電装品箱１２に近接して穿設することとなるネジ穴８位置を示すダボ孔１０は、天板２のうち上記筒状部９の上方位置に形成されている。
【００１６】
図３は、上記室外機を上下に積層する場合において、下側に配置されることとなる室外機（以下「下側室外機」という。）の上部を示す斜視図である。この図を用いて上記室外機の積層設置を説明する。上記下側室外機の天板２上面の前面側には、上述のダボ孔１０・・が並設されている。そこでこのダボ孔１０と、横断面Ｌ字状の連結金具（連結部材）６の底面部６ａに穿設したネジ穴６ｂとを重合させるようにして、連結金具６を天板２上に載置する。その後上記ネジ穴６ｂを介してドリリングネジ７の先端をダボ孔１０に嵌合させ、ドリリングネジ７を螺進させて天板２にネジ穴（取付穴）を穿設しつつこれを螺着し、上記連結金具６を天板２上に固定する。ところで上記ダボ孔１０のうち同図において最も右側に位置するものは、上記のように補強材１１によって形成された筒状部９の上方に位置している。従って上記ドリリングネジ７の螺進も、この筒状部９内で行われることになる。次に、上記のようにして天板２に連結金具６が取り付けられると、図４に示すように、上側に配置されることとなる室外機（以下「上側室外機」という。）を上記下側室外機の天板２上に載置する。そして連結金具６の側面部６ｃに穿設された据付穴１６、１６に挿通させた据付ネジ１９、１９を、上記上側室外機の据付脚１８、１８に螺着して、下側室外機上に上側室外機を積層固定する。なお同図において１７は、上側室外機のドレンを受けるための中間ドレンパンである。
【００１７】
上記のように構成され据え付けられる空気調和機の室外機では、電装品箱１２に近接した位置におけるドリリングネジ７の螺着は、天板２から底板５へ向かって延びる筒状部９の上方で行われる。従って発生した切削粉等はこの筒状部９内を通じて底板５へ導かれることとなり、これによって切削粉等が電装品の正常な動作を阻害するのを回避することができる。またドリリングネジ７の螺進によって天板２にはネジ穴が穿設されるが、これも上記と同様、電装品箱１２に近接した位置においては上記筒状部９の上方に設けられる。従ってもし仮にこのネジ穴から雨水等が浸入しても、浸入した雨水は筒状部９内を通じて底板５へ導かれることとなり、これによって雨水等が電装品の正常な動作を阻害するのを回避することができる。また上記室外機では、予め天板２に設けられているのは凹陥形成されたダボ孔１０のみであり、穿設されたネジ穴等は設けていないから、これを上側室外機として使用したり、単独で使用したりする場合にも、その外観性を向上させることができる。そして同様の室外機を上側室外機としても下側室外機としても、また単独の室外機としても使用できるので、各機種で構成部品を共通化することにより、コストダウンを図ることができるとともに、現地での天板２の交換作業も不要となる。さらに構成がわずかに相違する別機種が存在するということもなくなるので、出荷時における手配ミスを防止することができる。
【００１８】
また下側室外機に形成する上記筒状部９は、下側室外機には必須となる上下方向の補強材１１によって形成している。従って従来の下側室外機に対して付加すべき特別な部材はないということになり、上記構成がコストアップを招く一因となるのを回避することができる。しかも上記補強材１１は室外機に対して着脱自在となっているから、この補強材１１と上記連結金具６とをオプション化することにより、他の部分をすべて共通化し、かつ上側室外機及び単独使用の室外機の構成部品を削減してコストダウンを図ることができる。
【００１９】
以上にこの発明の具体的な実施の形態について説明したが、この発明は上記形態に限定されるものではなく、この発明の範囲内で種々変更して実施することができる。上記では天板２上にはダボ孔１０を設けるのみで現地でネジ穴を穿設することにより、室外機を上側用として用いる場合の外観性の向上を図っている。しかしながら外観性よりも作業性の向上を優先させる必要があるときには、ダボ孔１０を設けたのと同じ位置に、あらかじめネジ穴を穿設しておくようにしてもよい。このようにしても電装品箱１２近傍のネジ穴からケーシング１内に浸入する雨水は筒状部９を通じて底板５へと導かれるから、この室外機を上側室外機として用いても、雨水によって電装品の正常な動作が阻害されるという事態は確実に回避される。また上記では補強材１１によって筒状部９を形成したが、補強材１１を設けるべき位置と筒状部９を設けるべき位置とが一致しない場合等には、補強材１１とは異なる別途部材によって筒状部９を形成するようにしてもよい。さらに、上記では筒状部９は一ケ所だけに形成したが、電装品箱１２に近接して複数のネジ穴を穿設するような場合には、補強材１１又は他の部材によって複数の筒状部９を形成してもよい。また上記補強材１１は横断面コ字状であるが、例えば円筒状等の他の横断面形状を有する棒材で筒状部９を形成してもよいのは勿論である。さらに上記ではドリリングネジ７で連結金具６を固定するようにしたが、天板２に穿設した取付穴に取付部材を挿入して連結金具６を固定するものであれば、ネジ以外の手段を用いる場合であっても本発明を適用してその優れた効果を得ることができる。そして上記ではダボ孔１０によってネジ穴位置をマーキングしたが、印刷や刻印等によってこれをマーキングするようにしてもよい。
【００２０】
【発明の効果】
上記請求項１の空気調和機の室外機では、据付作業時に天板に穿設した取付穴で発生する切削粉等や、この取付穴から浸入する雨水によって電装品の正常な動作が阻害されるのを、確実に回避することができる。従って上下に積層した場合に上側となる室外機と下側となる室外機とで同一の天板を用いることで、部品の共通化を図ることが可能となる。
【００２１】
また請求項２の空気調和機の室外機では、これを上下に積層したときの上側用として使用する場合における外観性を向上させることが可能となる。
【００２２】
さらに請求項３の空気調和機の室外機では、その構成を簡素なものとすることが可能となる。
【００２３】
請求項４の空気調和機の室外機では、上記棒材を下側用の室外機のみに取り付けるようにすることで、部品点数を削減してコストダウンを図ることが可能となる。
【図面の簡単な説明】
【図１】この発明の空気調和機の室外機の一実施形態における補強材上端部近傍を示す透過斜視図である。
【図２】上記室外機の内部構成を示す分解斜視図である。
【図３】上記室外機に対する連結金具の取り付けを示す斜視図である。
【図４】上記室外機を上下に積層する連結構造を示す斜視図である。
【図５】従来例の空気調和機の室外機に対する連結金具の取り付けを示す斜視図である。
【符号の説明】
１  ケーシング
２  天板
５  底板
６  連結金具
９  筒状部
１０  タボ孔
１１  補強材
１２  電装品箱
【図１】
0003777716.tif 000002
【図２】
0003777716.tif 000003
【図３】
0003777716.tif 000004
【図４】
0003777716.tif 000005
【図５】
0003777716.tif 000006